(57)【要約】【課題】接続時に安定を保つことができる受信情報転送装置、受信装置及び受信情報転送システムを提供すること。【解決手段】  受信アンテナを少なくとも有するアンテナユニットを当該アンテナユニットとともに受信装置を構成する受信ユニットへ着脱可能に接続することを可能にするユニット接続部に対して係り合わせるための係合部と、前記ユニット接続部と係合部とが係合状態である場合にのみ前記受信ユニットに設けたコネクタ１９に通信可能に接続することができるように設けた接続端子３１とを備える。【選択図】        図３
2007081492.tif 000002
【特許請求の範囲】
【請求項１】
受信アンテナを少なくとも有するアンテナユニットを当該アンテナユニットとともに受信装置を構成する受信ユニットへ着脱可能に接続することを可能にするユニット接続部に対して係り合わせるための係合部と、
前記ユニット接続部と係合部とが係合状態である場合にのみ前記受信ユニットに設けた接続部に通信可能に接続することができるように設けた通信接続部と、
を備えたことを特徴とする受信情報転送装置。
【請求項２】
前記係合部は、前記受信ユニットが当該受信情報転送装置に取り付けられた場合に、前記アンテナユニットが前記受信ユニットに取り付けられる部分に突出するように形成されていることを特徴とする請求項１に記載の受信情報転送装置。
【請求項３】
前記係合部は、前記受信ユニットが当該受信情報転送装置に取り付けられた状態における前記受信ユニットの下端部から前記係合部の上端部までの長さが、前記アンテナユニットが前記受信ユニットに取り付けられた状態における前記受信ユニットの下端部から前記アンテナユニットに設けられた凸部の下端部までの長さよりも長くなるように形成され、前記アンテナユニットが前記受信ユニットに取り付けられた状態で前記受信装置を電気的に接続しようとしたときに、前記係合部の上端部と前記凸部の下端部とが干渉することを特徴とする請求項１に記載の受信情報転送装置。
【請求項４】
受信アンテナが接続され該受信アンテナが受信した無線信号の受信処理を行うアンテナユニットと、前記アンテナユニットが着脱可能に取り付けられ前記アンテナユニットが受信した受信信号をもとに各種処理を行う受信ユニットとを有し、前記受信ユニットの接続部と受信情報転送装置の通信接続部とを介して前記受信ユニットが前記受信情報転送装置に電気的に接続することができる受信装置であって、
前記アンテナユニットに凸部を設け、前記凸部は、前記アンテナユニットが前記受信ユニットに取り付けられた状態における前記受信ユニットの下端部から前記凸部の下端部までの長さが、前記受信ユニットが受信情報転送装置に取り付けられた状態における前記受信ユニットの下端部から受信情報転送装置に設けられた係合部の上端部までの長さよりも短くなるように形成され、前記アンテナユニットが前記受信ユニットに取り付けられた状態で前記受信情報転送装置に電気的に接続しようとしたときに、前記係合部の上端部と前記凸部の下端部が干渉することを特徴とする受信装置。
【請求項５】
受信アンテナが接続され該受信アンテナが受信した無線信号の受信処理を行うアンテナユニットと、前記アンテナユニットが着脱可能に取り付けられ前記アンテナユニットが受信した受信信号をもとに各種処理を行う受信ユニットとを有した受信装置と、
前記受信ユニットに対し、該受信ユニットの接続部と当該受信情報転送装置の通信接続部とを介して電気的に接続することができる受信情報転送装置と、
を有した受信情報転送システムであって、
前記アンテナユニットに凸部が設けられるとともに、前記受信ユニットに係合部が設けられ、
前記凸部及び前記係合部は、前記受信ユニットが受信情報転送装置に取り付けられた状態における前記受信ユニットの下端部から前記係合部の上端部までの長さが、前記アンテナユニットが前記受信ユニットに取り付けられた状態における前記受信ユニットの下端部から前記凸部の下端部までの長さよりも長くなるように形成され、前記アンテナユニットが前記受信ユニットに取り付けられた状態で前記受信装置を前記受信情報転送装置に電気的に接続しようとしたときに、前記係合部の上端部と前記凸部の下端部が干渉することを特徴とする受信情報転送システム。
【発明の詳細な説明】
【技術分野】
【０００１】
本発明は、受信情報転送装置、受信装置及び受信情報転送システムに関し、特に接続状態で受信情報転送装置を安定に保つことができる受信情報転送装置及びこの受信情報転送装置に接続される受信装置、並びに上記の受信情報転送装置と受信装置とを備えた受信情報転送システムに関するものである。
【背景技術】
【０００２】
近年、口から体腔内に投入でき、胃等の消化器内を撮影等して生体腔内の情報を収集できるようにしたカプセル型内視鏡（医療用の飲み込み型の錠剤状内視鏡）が開発されている。そして、このカプセル型内視鏡として、ＬＥＤ等からなる照明手段、ＣＣＤやＣＭＯＳ等からなる固体撮像素子、固体撮像素子により得られた画像データを外部に送信する送信手段、これらの照明手段や固体撮像素子や送信手段を駆動させるための電池等からなる電源部をカプセルに内蔵したものが提案されている（例えば、特許文献１参照）。
【０００３】
カプセル型内視鏡の診療時には、被験者が飲み込んだカプセルから送信される電波を、この被験者の身体表面の複数箇所、例えば８箇所に貼った受信アンテナで捉え、捉えたデータをアンテナケーブル経由で受信装置に送り、受信装置でＣＦメモリなどに記録する。診療が終わるまで、例えば８〜１０時間かかるが、その間、被験者は受信アンテナ、受信装置を身に着けたまま、普段の生活をすることができる。カプセル型内視鏡による測定が終わった時点で、被験者が、受信装置等を病院に提出すると、病院側では、受信装置をクレードルに差し込み、クレードルに繋がっているワークステーションにＵＳＢケーブル経由で受信装置に記録されている測定データを全て取り込む。後は、ワークステーションで動画として測定結果を観察する。
【０００４】
【特許文献１】特開２００１−２３１１１８６号公報
【発明の開示】
【発明が解決しようとする課題】
【０００５】
しかし、受信アンテナが接続されたままの状態で受信装置をクレードルに差し込むと、クレードルが不安定になり、記録された測定データを受信装置からワークステーションに取り込んでいる間に、クレードルから受信装置が外れてしまうという問題点があった。
【０００６】
本発明は、上記に鑑みてなされたものであって、接続状態で安定する受信情報転送装置、受信装置及び受信情報転送システムを提供することを目的とする。
【課題を解決するための手段】
【０００７】
上述した課題を解決し、目的を達成するために、本発明に係る受信情報転送装置は、受信アンテナを少なくとも有するアンテナユニットを当該アンテナユニットとともに受信装置を構成する受信ユニットへ着脱可能に接続することを可能にするユニット接続部に対して係り合わせるための係合部と、前記ユニット接続部と係合部とが係合状態である場合にのみ前記受信ユニットに設けた接続部に通信可能に接続することができるように設けた通信接続部と、を備えたことを特徴とする。
【０００８】
また、本発明に係る受信情報転送装置は、上記の発明において、前記係合部は、前記受信ユニットが当該受信情報転送装置に取り付けられた場合に、前記アンテナユニットが前記受信ユニットに取り付けられる部分に突出するように形成されていることを特徴とする。
【０００９】
また、本発明に係る受信情報転送装置は、上記の発明において、前記係合部は、前記受信ユニットが当該受信情報転送装置に取り付けられた状態における前記受信ユニットの下端部から前記係合部の上端部までの長さが、前記アンテナユニットが前記受信ユニットに取り付けられた状態における前記受信ユニットの下端部から前記アンテナユニットに設けられた凸部の下端部までの長さよりも長くなるように形成され、前記アンテナユニットが前記受信ユニットに取り付けられた状態で前記受信装置を電気的に接続しようとしたときに、前記係合部の上端部と前記凸部の下端部とが干渉することを特徴とする。
【００１０】
また、本発明に係る受信装置は、受信アンテナが接続され該受信アンテナが受信した無線信号の受信処理を行うアンテナユニットと、前記アンテナユニットが着脱可能に取り付けられ前記アンテナユニットが受信した受信信号をもとに各種処理を行う受信ユニットとを有し、前記受信ユニットの接続部と受信情報転送装置の通信接続部とを介して前記受信ユニットが前記受信情報転送装置に電気的に接続することができる受信装置であって、前記アンテナユニットに凸部を設け、前記凸部は、前記アンテナユニットが前記受信ユニットに取り付けられた状態における前記受信ユニットの下端部から前記凸部の下端部までの長さが、前記受信ユニットが受信情報転送装置に取り付けられた状態における前記受信ユニットの下端部から受信情報転送装置に設けられた係合部の上端部までの長さよりも短くなるように形成され、前記アンテナユニットが前記受信ユニットに取り付けられた状態で前記受信情報転送装置に電気的に接続しようとしたときに、前記係合部の上端部と前記凸部の下端部が干渉することを特徴とする。
【００１１】
また、本発明に係る受信情報転送システムは、受信アンテナが接続され該受信アンテナが受信した無線信号の受信処理を行うアンテナユニットと、前記アンテナユニットが着脱可能に取り付けられ前記アンテナユニットが受信した受信信号をもとに各種処理を行う受信ユニットとを有した受信装置と、前記受信ユニットに対し、該受信ユニットの接続部と当該受信情報転送装置の通信接続部とを介して電気的に接続することができる受信情報転送装置と、を有した受信情報転送システムであって、前記アンテナユニットに凸部が設けられるとともに、前記受信ユニットに係合部が設けられ、前記凸部及び前記係合部は、前記受信ユニットが受信情報転送装置に取り付けられた状態における前記受信ユニットの下端部から前記係合部の上端部までの長さが、前記アンテナユニットが前記受信ユニットに取り付けられた状態における前記受信ユニットの下端部から前記凸部の下端部までの長さよりも長くなるように形成され、前記アンテナユニットが前記受信ユニットに取り付けられた状態で前記受信装置を前記受信情報転送装置に電気的に接続しようとしたときに、前記係合部の上端部と前記凸部の下端部が干渉することを特徴とする。
【発明の効果】
【００１２】
本発明に係る受信情報転送装置、受信装置及び受信情報転送システムでは、受信アンテナを少なくとも有するアンテナユニットを当該アンテナユニットとともに受信装置を構成する受信ユニットへ着脱可能に接続することを可能にするユニット接続部に対して係り合わせるための係合部が、前記ユニット接続部と係合状態である場合にのみ前記受信ユニットに設けた接続部に通信接続部が通信可能に接続するようにしているので、接続状態で受信情報転送装置を安定させることが可能となる。
【発明を実施するための最良の形態】
【００１３】
以下、本発明に係る受信情報転送装置（クレードル）、受信装置及び受信情報転送システム（クレードルシステム）の実施の形態を、図面を参照して説明する。なお、以下の実施の形態において、本発明に係るクレードル、受信装置及びクレードルシステムがカプセル型内視鏡システムに適用された例を示すが、この実施の形態により本発明が限定されるものではない。
【００１４】
（実施の形態１）
図１は、本実施の形態１に係るクレードルを含むカプセル型内視鏡システムの全体構成例を示す図であり、図２は、受信アンテナと受信装置とを示す斜視図である。カプセル型内視鏡システム１は、主に、カプセル型内視鏡２と、被験者３の身体表面の所定部位に接着等により直接装着されるループアンテナ構造の受信アンテナ１２ａ〜１２ｈと、この受信アンテナ１２ａ〜１２ｈにケーブル５で電気的に接続され検知結果を記録する携帯診療装置としての受信装置６と、被験者３以外の場所に設けられたワークステーション８とによって構成されている。
【００１５】
カプセル型内視鏡２は、被験者３が飲み込み可能であり、図示しない撮像装置、照明装置、信号処理装置、送信装置及び電源等が内蔵されている。このカプセル型内視鏡２は、被験者３が飲み込むことにより体腔内に導入され、体腔内管路を移動している間、ＬＥＤ等の照明装置により照明された撮像部位をＣＣＤ、ＣＭＯＳ等の撮像装置で撮像して体腔内の画像を取得し、その画像データを信号処理装置で所定の信号に変換し、送信装置によって受信アンテナ１２ａ〜１２ｈに向けて無線で送信する。
【００１６】
また、受信アンテナ１２ａ〜１２ｈは、カプセル型内視鏡２内の送信装置から無線により送信出力される画像データの信号を所定の電気的変位量として検知するものであり、複数のループアンテナ（ここでは、８個）により構成されている。各受信アンテナ１２ａ〜１２ｈは、被験者３の例えば腹部側において左右の脇腹、みぞおち付近、左右の第７肋骨、左右の下腹部等の所定部位に直接又は袋等に入れられた状態で粘着テープ等により貼り付けられる。
【００１７】
これらの受信アンテナ１２ａ〜１２ｈから延出される８本のケーブル５は、シールド性が良好な例えば同軸線で構成されている。これらのケーブル５の長さ寸法は、対応する受信アンテナ１２ａ〜１２ｈの体表への配置位置毎にあらかじめ決められている。また、これらのケーブル５は、図２に示すように、途中から８本が同一平面上に整列するように複数の結束部材１３によりまとめられ、受信装置６の受信ユニット６ａに電気的に接続するためのアンテナユニット６ｂ内に引き込まれている。なお、ケーブル５は、アンテナユニット６ｂから取り外し可能になっている。
【００１８】
受信装置６は、受信ユニット６ａとアンテナユニット６ｂから構成され、これらは着脱可能になっている。図２に示すように受信ユニット６ａは、液晶表示部１６、アンテナユニット取り付け部１７、ビュアケーブル用コネクタ１８、後述のクレードル２７と接続するためのコネクタ１９等を備えている。受信ユニット６ａの内部には、ケーブル５を介して送信されてくる画像データを記録するためのＣＦメモリを含む回路部材が基板上に実装して設けられ、かつ、８〜１０時間といった長時間の診療に対応し得る容量のバッテリパックが電池室（図示せず）に装填されている。また受信ユニット６ａは、画像データを記録する以外に受信アンテナ１２ａ〜１２ｈが受信した信号に対して各種処理を行う。アンテナユニット取り付け部１７は、アンテナユニット６ｂが挿脱自在なコネクタ構造を有し、アンテナユニット６ｂを挿入した状態で受信ユニット６ａの内部回路と受信アンテナ１２ａ〜１２ｈとが電気的に接続される構成である。２０はアンテナユニット６ｂを取り外すためのイジェクトボタンである。
【００１９】
ビュアケーブル用コネクタ１８は、受信ユニット６ａの片側側面に設けられており、ビュアケーブル２１の一方のコネクタ２１ａをこのビュアケーブル用コネクタ１８に装着し他方のコネクタ２１ｂをビュア２２に装着することで、受信ユニット６ａに記録される診療中の画像をビュア２２によって随時確認できる構成とされている。
【００２０】
さらに、ワークステーション８は、例えば病院内に設置されたパーソナルコンピュータ等を主とするものであり、表示装置２４、印刷装置２５、キーボード２６等を備える他、受信ユニット６ａ内のＣＦメモリに記録された画像データをワークステーション本体２３に一括して取り込むためのクレードル２７及びＵＳＢケーブル等によるクレードルケーブル２８を備えている。ワークステーション本体２３は、クレードル２７に受信ユニット６ａが差し込まれ、コネクタ１９を介して電気的に接続された状態になると、受信ユニット６ａ内のＣＦメモリに記録された画像データを全てワークステーション本体２３に一括して取り込む。
【００２１】
次に、本実施の形態１に係るクレードル２７について説明する。図３は、本実施の形態１に係るクレードル２７の斜視図であり、図４は、本実施の形態１に係るクレードル２７の側面図である。本実施の形態１に係るクレードル２７は、据え置き式のものであり、その中央部に受信装置６の受信ユニット６ａを載置するための凹部３０、凹部３０の底面部に設けられた接続端子３１、受信ユニット６ａを載置したときに受信ユニット６ａが転倒するのを防止する背もたれ３２、背もたれ３２の先端に設けられた突起部３３を有する。
【００２２】
ここで、受信ユニット６ａをクレードル２７に接続する方法について説明する。図５は、受信ユニット６ａがクレードル２７に接続された状態を示す縦断面図である。まず、受信装置６の受信ユニット６ａからアンテナユニット６ｂを取り外し、受信アンテナ１２ａ〜１２ｈと受信ユニット６ａが電気的に分離された状態とする。そして、アンテナユニット６ｂが取り外された状態の受信ユニット６ａの下端部側（コネクタ１９側）を凹部３０に挿入する。これにより、受信ユニット６ａのコネクタ１９とクレードル２７の接続端子３１が係合して、受信ユニット６ａとクレードル２７が電気的に接続される。
【００２３】
受信ユニット６ａがクレードル２７の凹部３０に挿入されて、受信ユニット６ａとクレードル２７が電気的に接続された状態では、突起部３３は、図５に示すように、アンテナユニット６ｂが受信ユニット６ａに取り付けられる部分に突出するようになっている。
【００２４】
このため、図６に示すように、アンテナユニット６ｂが受信ユニット６ａに取り付けられた状態で受信装置６をクレードル２７に接続しようとすると、受信装置６を完全に凹部３０に挿入することができず、コネクタ１９と接続端子３１が係合しない。従って、アンテナユニット６ｂが受信ユニット６ａに取り付けられた状態では、受信装置６とクレードル２７が電気的に接続されないこととなる。
【００２５】
本実施の形態１に係るクレードル２７は、アンテナユニット６ｂが受信ユニット６ａに取り付けられた状態で、受信装置６が電気的に接続されるのを防止する突起部３３を有するため、受信アンテナ１２ａ〜１２ｈが接続されたままの状態で受信装置６がクレードル２７に接続されるのを防止することができ、接続状態でクレードルを安定に保つことができる。
【００２６】
（実施の形態２）
次に、実施の形態２について説明する。なお、本実施の形態２に係るクレードル３７は、実施の形態１に係るクレードル２７と比較して、背もたれ３２がなく、突起部３３と突起部４３の形状が異なっている。その他、受信装置６等の構成は、実施の形態１に係るものと同様であり、同じ構成要素には、同じ符号を付して説明する。
【００２７】
図７は、受信ユニット６ａがクレードル３７に接続された状態を示す縦断面図である。本実施の形態２に係るクレードル３７は、背もたれ３２がなく、突起部４３がクレードル３７の背面側から上方に突出した状態になっている。実施の形態１と同様に、アンテナユニット６ｂが取り外された状態の受信ユニット６ａの下端部側（コネクタ１９側）を凹部３０に挿入すると、受信ユニット６ａのコネクタ１９とクレードル３７の接続端子３１が係合して、受信ユニット６ａとクレードル３７が電気的に接続される。
【００２８】
受信ユニット６ａがクレードル３７の凹部３０に挿入されて、受信ユニット６ａとクレードル３７が電気的に接続された状態では、突起部４３は、図７に示すように、アンテナユニット６ｂが受信ユニット６ａに取り付けられる部分に突出するようになっている。
【００２９】
また、図８に示すように、アンテナユニット６ｂが受信ユニット６ａに取り付けられた状態で受信装置６をクレードル３７に接続しようとすると、実施の形態１と同様に、受信装置６を完全に凹部３０に挿入することができず、コネクタ１９と接続端子３１が係合しない。従って、アンテナユニット６ｂが受信ユニット６ａに取り付けられた状態では、受信装置６とクレードル３７が電気的に接続されないこととなる。
【００３０】
本実施の形態２に係るクレードル３７は、アンテナユニット６ｂが受信ユニット６ａに取り付けられた状態で、受信装置６が電気的に接続されるのを防止する突起部４３を有するため、受信アンテナ１２ａ〜１２ｈが接続されたままの状態で受信装置６がクレードル２７に接続されるのを防止することができ、実施の形態１と同様に、接続状態でクレードルを安定に保つことができる。なお、クレードルに設ける突起部の位置、形状等は、アンテナユニット６ｂが受信ユニット６ａに取り付けられた状態で、受信装置６がクレードルに電気的に接続されるのを防止するものであれば、上記のものに限定されない。
【００３１】
（実施の形態３）
次に、実施の形態３に係るクレードル、受信装置及びこのクレードルと受信装置を備えたクレードルシステムについて説明する。なお、実施の形態１と同一の構成要素には、同一の符号を付して説明する。図９は、本実施の形態３に係る受信装置４６を示す斜視図である。受信装置４６の受信ユニット４６ａは、実施の形態１に係る受信ユニット６ａと同様であるが、アンテナユニット４６ｂは、両側面にそれぞれ凸部５０を有している。
【００３２】
図１０は、アンテナユニット４６ｂが受信ユニット４６ａに取り付けられた状態で、受信装置４６を本実施の形態３に係るクレードル５７に接続しようとした場合を示した正面図である。本実施の形態３に係るクレードル５７は、両側部に２つの突起部６３を有し、その間が凹部６０となっている。受信ユニット４６ａは、アンテナユニット４６ｂが取り外された状態で、凹部６０にＡの高さまで挿入されてクレードル５７と電気的に接続されるようになっている。このとき、受信ユニット４６ａのコネクタ１９とクレードル５７の接続端子６１は係合する。なお、本実施の形態３に係る受信ユニット４６ａ及びアンテナユニット４６ｂ（凸部５０を除く）の横幅と、凹部６０の横幅はほぼ同じになるように設定されている。
【００３３】
また本実施の形態に係る受信ユニット４６ａ及びアンテナユニット４６ｂは、受信ユニット４６ａがクレードル５７に取り付けられた状態における受信ユニット４６ａの下端部（Ａの高さ）から突起部６３の上端部（Ｂの高さ）までの長さＬ１が、アンテナユニット４６ｂが受信ユニット４６ａに取り付けられた状態における受信ユニット４６ａの下端部（Ｃの高さ）から凸部５０の下端部（Ｂの高さ）までの長さＬ２よりも長くなるように形成されている。このため、アンテナユニット４６ｂが受信ユニット４６ａに取り付けられた状態で受信装置４６をクレードル５７に接続しようとしたときは、突起部６３の上端部と凸部５０の下端部が干渉するようになっている。
【００３４】
従って、図１０に示すように、アンテナユニット４６ｂが受信ユニット４６ａに取り付けられた状態で受信装置４６をクレードル５７に接続しようとすると、実施の形態１と同様に、受信装置４６を完全に凹部６０に挿入することができず、コネクタ１９と接続端子６１が係合しない。これにより、アンテナユニット６ｂが受信ユニット６ａに取り付けられた状態では、受信装置６とクレードル３７が電気的に接続されないこととなる。
【００３５】
本実施の形態３に係るクレードルシステムは、アンテナユニット４６ｂが凸部５０を有し、アンテナユニット４６ｂが受信ユニット４６ａに取り付けられた状態で受信装置４６をクレードル５７に接続しようとしたときに、突起部６３の上端部と凸部５０の下端部が干渉するようになっているため、実施の形態１と同様に、接続状態でクレードルの安定を保つことができる。なお、凸部５０と突起部６３の位置、形状等は本実施の形態３に示すものに限定されない。例えば、凸部５０をアンテナユニットの背面側に１つ形成し、突起部６３をクレードル５７の背面側に１つ形成するようにしてもよい。
【図面の簡単な説明】
【００３６】
【図１】実施の形態１に係るクレードルを含むカプセル型内視鏡システムの全体構成例を示す図である。
【図２】実施の形態１に係る受信アンテナと受信装置とを示す斜視図である。
【図３】実施の形態１に係るクレードルの斜視図である。
【図４】実施の形態１に係るクレードルの側面図である。
【図５】受信ユニットがクレードルに接続された状態を示す縦断面図である。
【図６】アンテナユニットが受信ユニットに取り付けられた状態で受信装置をクレードルに接続しようとしたときの縦断面図である。
【図７】実施の形態２に係る受信ユニットがクレードルに接続された状態を示す縦断面図である。
【図８】アンテナユニットが受信ユニットに取り付けられた状態で受信装置をクレードルに接続しようとしたときの縦断面図である。
【図９】実施の形態３に係る受信装置を示す斜視図である。
【図１０】アンテナユニットが受信ユニットに取り付けられた状態で、受信装置を本実施の形態３に係るクレードルに接続しようとした場合を示した正面図である。
【符号の説明】
【００３７】
１  カプセル型内視鏡システム
２  カプセル型内視鏡
３  被験者
５  ケーブル
６、４６  受信装置
６ａ、４６ａ  受信ユニット
６ｂ、４６ｂ  アンテナユニット
８  ワークステーション
１２ａ、１２ｂ、１２ｃ、１２ｄ、１２ｅ、１２ｆ、１２ｇ、１２ｈ  受信アンテナ
１６  液晶表示部
１７  アンテナユニット取り付け部
１８  ビュワケーブルコネクタ
１９  コネクタ
２０  イジェクトボタン
２１  ビュワケーブル
２２  ビュワ
２３  ワークステーション本体
２４  表示装置
２５  印刷装置
２６  キーボード
２７、３７、５７  クレードル
２８  クレードルケーブル
３０、６０  凹部
３１、６１  接続端子
３２  背もたれ
３３、４３、６３  突起部
５０  凸部
【図１】
2007081492.tif 000003
【図２】
2007081492.tif 000004
【図３】
2007081492.tif 000005
【図４】
2007081492.tif 000006
【図５】
2007081492.tif 000007
【図６】
2007081492.tif 000008
【図７】
2007081492.tif 000009
【図８】
2007081492.tif 000010
【図９】
2007081492.tif 000011
【図１０】
2007081492.tif 000012